(57)【要約】【課題】    近年様々な企業が各分野で独自の技術やサービスを発展させ、顧客獲得の努力をしてきた。それにより確立された市場は発展を遂げたが、更なる市場を開拓することに足踏み状態となっている。そこで、それぞれの分野・事業を組み合わせて、サービスを提供する場所を変えることにより利用者側にとって新しいサービスが生まれると同時に企業間の新しい流通が生まれると判断し、これを発明の課題とした。【解決手段】      人が多く集まる場所。旅行分野。クリーニング・洗濯という日常行為。宅配分野を組み合わせたこと。【選択図】なし【特許請求の範囲】
【請求項１】
空港を利用する人、自宅や施設等で日常的に衣類の洗濯をする人、旅館やホテルに滞在する人を対象にインターネットやリーフレットやカタログや旅行会社のホームページや店頭もしくは街頭や施設内に設置された陳列物など公知の手法を用いてビジネス手法とサービスの内容を宣伝し認知してもらい、なおかつ手渡しもしくは郵便もしくは宅配便にて衣類を詰める紙、ビニール、布素材で作られた衣類を容量分であれば無制限、無選別に詰め込めて、出し入れしやすいように開閉口にチャック等を取り付けてなおかつ開閉口に封印が出来るように工夫されてなおかつ持ち運びしやすいように肩掛け紐等で工夫された専用袋を利用者の用途、希望に応じて数パターン用意し利用者が選んだ物を渡して、住所氏名連絡先と希望お届け日、希望お届け時間帯、利用航空会社の出発および到着便名、仕上がり状態を各宅配便会社の荷札に記入してもらうもしくは電子的通信技術、インターネット通信技術による手法を用いた方法で記入してもらい、利用者を特定及び管理したうえで、その情報を専用袋から分離しないように袋の内側から封入しなおかつ袋の外側からは利用者の情報を確認出来るように袋の一部分に透明なビニール素材もしくは透明な素材を使って窓を設置し袋の利用者を利用者自身もしくはその他の人間が特定できるようにする。自宅もしくは衣類を着衣し洗濯をする必要のある衣類がある場所、施設でなおかつそれらの衣類を自宅内もしくは施設内の洗濯機もしくはクリーニング業を営んでいる店舗や場所へ移動させる人もしくは旅行中の人で旅行中に発生した自身の洗濯物もしくは、クリーニングを要する衣類がある人がホテル、旅館などの各宿泊、滞在施設にて旅行者もしくは利用者自身が洗濯物を分別して衣類の専用袋もしくはスーツケースなどの自身の持ち物で収納スペースのある物でなおかつ封印等の処置を施し外部の人間が容易に開封出来ないように工夫してある物に詰め込んだ人を対象として、旅行など移動を必要とした行為をしている人は日本全国の主要空港施設もしくは滞在先のホテルカウンターに持ち込み、施設内に設けた各都道府県もしくは市町村の管轄する保健所等からクリーニング取次ぎ所の許可を得たカウンターもしくは手荷物預かり所もしくは宅配便取り扱い所に持込みこれを預け渡す。自宅などで利用者が衣類を持って移動する必要がない場所にいる人は自宅の脱衣所もしくは施設の脱衣所または個人が特定するスペースに衣類を保管管理し専用袋の容量を満たした段階で引き取りの連絡を宅配便業者もしくは管理者に利用者自身が行いこれを預け渡す。各事業者資格を要するもしくは許可を必要としない法人もしくは個人が、利用者がそれぞれに預けた場所から利用者を管理特定した上で自動車、鉄道、自動二輪車、自転車などの公知の輸送方法を用いて利用者から一時的に預かっていた専用袋を回収してクリーニング施設があり既に営利を目的とした活動を営みなおかつクリーニング業法第三条３項五号に規約された設備を整えた場所に持ち込む。各クリーニング施設を整えた個人もしくは法人の事業者は持ち込まれた衣類を、利用者を特定管理した上で持ち込まれた容量に応じたもしくは衣類を洗濯乾燥するに適した洗濯機と乾燥機もしくは洗濯乾燥機にて一袋単位もしくは利用者単位で洗濯もしくはクリーニングなど利用者が要求するあらゆるクリーニング処理を行い利用者が要求する処置を施す。仕上がり後に、持ち込まれた容量に応じた紙素材もしくはビニール素材、布素材等で作られた専用袋に移し変え、さらに衝撃や雨に耐えうるように緩衝材を入れたり透明なビニール等を被せるなど何らかの処置をして利用者個人を特定する利用者自身が記入した届け先にもとずきこれを一時的に保管管理し宅配便各社に預ける準備をする。その後各事業者資格を要するもしくは許可を必要としない法人もしくは個人が自動車、鉄道、自動二輪車、自転車などの公知の輸送方法を用いて利用者から一時的に預かっていた専用袋を利用者を特定管理した上で各事業資格を必要としたもしくは必要としない個人もしくは法人の各宅配便会社の営業所もしくは宅配荷物受け渡し所もしくは集配車両に持ち込む。もしくは宅配便の集配センターに連絡をして不定期もしく定期的に一定の場所まで集荷に来てもらう。荷物として衣類を受け取った各宅配便事業者は受け取った日もしくは最も短い期間内で荷物に添付または圧着もしくは直接印字された利用者の届け先に利用者の希望通りの日時時間帯で配送する。
【発明の詳細な説明】
【技術分野】
【０００１】      衣類を詰める紙、ビニール、布素材で作られた衣類を容量分であれば無制限、無選別に詰め込めて出し入れしやすいように開閉口にチャック等を取り付けてなおかつ開閉口に封印が出来るように工夫されてなおかつ持ち運びしやすいように肩掛け紐等で工夫された専用袋使用すること。住所氏名連絡先と希望お届け日、希望お届け時間帯、利用航空会社の出発および到着便名、仕上がり状態を各宅配便会社の荷札に記入してもらうもしくは電子的通信技術、インターネット通信技術による手法を用いた方法で記入してもらい、利用者を特定及び管理したうえで、その情報を専用袋から分離しないように袋の内側から封入しなおかつ袋の外側からは利用者の情報を確認出来るように袋の一部分に透明なビニール素材もしくは透明な素材を使って窓を設置し袋の利用者を利用者自身もしくはその他の人間が特定できるようにすること。
【背景技術】
【０００２】今までは衣類をクリーニングもしくは洗濯に出す行為をしようとした場合、利用者は該当する衣類をクリーニング店等に持ち込んで再度それを引き取りに行く必要があった。
また利用者を旅行者に限定した場合は衣類を自宅に持ち帰りクリーニング店に持ち込む必要があった。【０００３】
【特許文献１】特開２００４−３６２１９６
【発明が解決しようとする課題】
【０００４】主に旅行者を対称にして行うもので利用者の旅行後の衣類を洗濯する手間を大幅に解消します。また、自宅にて洗濯行為を行うのが困難と思われる高齢者や障害をもった人へのサービス提供により利用者の生活を手助け出来ます。これにより市場に関連する企業（旅行・宅配・クリーニング・ホテル）に新たな市場を生み出し経済効果をもたらします。
【課題を解決するための手段】
【０００５】専用袋とクリーニング受渡し所の許可を得たカウンターとクリーニング業法の基準を満たした施設を組み合わせる事で、実施可能になります。
【発明の効果】
【０００６】市場に関連する企業（旅行・宅配・クリーニング・ホテル）に新たな市場を生み出し、雇用拡大や利益の増大等の社会的経済効果をもたらします。
【発明を実施するための最良の形態】
【０００７】全国の主要空港にカウンターを設ける、もしくは既に公知のビジネスを展開しているカウンターを確保している企業との業務提携で窓口を設けて海外、国内旅行後の帰国者が利用する事でのサービス提供
【実施例】
【０００８】請求項１記載の専用袋と施設カウンターと洗濯施設をもうけ、利用者にとって効果的と思われる状況に設置すること